(57)【要約】【課題】  グループメンバの誰がどこにいるのかを一目でわかるようにすることが可能な位置情報表示サービスシステムを提供する。【解決手段】  携帯端末（ａ〜ｅ）３−１〜３−５各々はＧＰＳ機能を用いて位置情報を取得し、その位置情報を無線基地局２を通してサーバ装置１に送信する。サーバ装置１には予め携帯端末（ａ〜ｅ）３−１〜３−５各々のユーザの情報が登録されており、携帯端末（ａ〜ｅ）３−１〜３−５各々から取得した位置情報を基に特定のエリアのグループメンバに共有される共有マップを作成して提供する。サーバ装置１はその共有マップ上にグループメンバ各々の位置を表示させており、携帯端末（ａ〜ｅ）３−１〜３−５各々から位置情報が送られてくる毎に、共有マップ場に表示するグループメンバ各々の位置を更新する。【選択図】      図１
2008015717.tif 000002
【特許請求の範囲】
【請求項１】
各々自端末の位置情報を取得する機能を含む複数の携帯端末と、前記複数の携帯端末各々から前記位置情報を取得するサーバ装置とを少なくとも含む位置情報表示サービスシステムであって、
前記サーバ装置は、予め登録された複数の携帯端末で構成されるグループメンバの端末から取得した位置情報を基に当該グループメンバに共有される共有マップを作成する手段と、その作成した共有マップ上に前記位置情報に基づいて前記グループメンバ各々の位置を表示させる手段とを有することを特徴とする位置情報表示サービスシステム。
【請求項２】
前記共有マップは、前記複数の携帯端末各々が前記サーバ装置から取得することを特徴とする請求項１記載の位置情報表示サービスシステム。
【請求項３】
前記共有マップは、前記サーバ装置から前記複数の携帯端末各々に配布することを特徴とする請求項１または請求項２記載の位置情報表示サービスシステム。
【請求項４】
前記共有マップは、予め設定された特定のエリアのグループメンバに共有されることを特徴とする請求項１から請求項３のいずれか記載の位置情報表示サービスシステム。
【請求項５】
前記複数の携帯端末各々は、少なくともＧＰＳ（Ｇｌｏｂａｌ  Ｐｏｓｉｔｉｏｎｉｎｇ  Ｓｙｓｔｅｍ）機能を用いて位置情報を取得することを特徴とする請求項１から請求項４のいずれか記載の位置情報表示サービスシステム。
【請求項６】
前記共有マップは、少なくとも地図、概略図を含むことを特徴とする請求項１から請求項５のいずれか記載の位置情報表示サービスシステム。
【請求項７】
各々自端末の位置情報を取得する機能を含む複数の携帯端末各々から前記位置情報を取得するサーバ装置であって、
予め登録された複数の携帯端末で構成されるグループメンバの端末から取得した位置情報を基に当該グループメンバに共有される共有マップを作成する手段と、その作成した共有マップ上に前記位置情報に基づいて前記グループメンバ各々の位置を表示させる手段とを有することを特徴とするサーバ装置。
【請求項８】
前記共有マップは、前記複数の携帯端末各々が自装置内から取得することを特徴とする請求項７記載のサーバ装置。
【請求項９】
前記共有マップは、前記複数の携帯端末各々に配布することを特徴とする請求項７または請求項８記載のサーバ装置。
【請求項１０】
前記共有マップは、予め設定された特定のエリアのグループメンバに共有されることを特徴とする請求項７から請求項９のいずれか記載のサーバ装置。
【請求項１１】
前記複数の携帯端末各々が、少なくともＧＰＳ（Ｇｌｏｂａｌ  Ｐｏｓｉｔｉｏｎｉｎｇ  Ｓｙｓｔｅｍ）機能を用いて位置情報を取得することを特徴とする請求項７から請求項１０のいずれか記載のサーバ装置。
【請求項１２】
前記共有マップは、少なくとも地図、概略図を含むことを特徴とする請求項７から請求項１１のいずれか記載のサーバ装置。
【請求項１３】
各々自端末の位置情報を取得する機能を含む複数の携帯端末と、前記複数の携帯端末各々から前記位置情報を取得するサーバ装置とを少なくとも含むシステムに用いられる位置情報表示サービス方法であって、
前記サーバ装置が、予め登録された複数の携帯端末で構成されるグループメンバの端末から取得した位置情報を基に当該グループメンバに共有される共有マップを作成する処理と、その作成した共有マップ上に前記位置情報に基づいて前記グループメンバ各々の位置を表示させる処理とを実行することを特徴とする位置情報表示サービス方法。
【請求項１４】
前記共有マップは、前記複数の携帯端末各々が前記サーバ装置から取得することを特徴とする請求項１３記載の位置情報表示サービス方法。
【請求項１５】
前記共有マップは、前記サーバ装置から前記複数の携帯端末各々に配布することを特徴とする請求項１３または請求項１４記載の位置情報表示サービス方法。
【請求項１６】
前記共有マップは、予め設定された特定のエリアのグループメンバに共有されることを特徴とする請求項１３から請求項１５のいずれか記載の位置情報表示サービス方法。
【請求項１７】
前記複数の携帯端末各々は、少なくともＧＰＳ（Ｇｌｏｂａｌ  Ｐｏｓｉｔｉｏｎｉｎｇ  Ｓｙｓｔｅｍ）機能を用いて位置情報を取得することを特徴とする請求項１３から請求項１６のいずれか記載の位置情報表示サービス方法。
【請求項１８】
前記共有マップは、少なくとも地図、概略図を含むことを特徴とする請求項１３から請求項１７のいずれか記載の位置情報表示サービス方法。
【請求項１９】
各々自端末の位置情報を取得する機能を含む複数の携帯端末各々から前記位置情報を取得するサーバ装置が実行するプログラムであって、
前記サーバ装置の中央処理装置に、予め登録された複数の携帯端末で構成されるグループメンバの端末から取得した位置情報を基に当該グループメンバに共有される共有マップを作成する処理と、その作成した共有マップ上に前記位置情報に基づいて前記グループメンバ各々の位置を表示させる処理とを実行させるためのプログラム。
【発明の詳細な説明】
【技術分野】
【０００１】
本発明は位置情報表示サービスシステム、サーバ装置及びそれらに用いる位置情報表示サービス方法並びにそのプログラムに関し、特に携帯端末において位置情報を表示させるサービスに関する。
【背景技術】
【０００２】
近年、携帯電話機等の携帯端末においては、カメラ機能やテレビ機能、及びＧＰＳ（Ｇｌｏｂａｌ  Ｐｏｓｉｔｉｏｎｉｎｇ  Ｓｙｓｔｅｍ）による位置情報の表示機能等の多機能化が進んでいる。
【０００３】
ＧＰＳによる位置情報の表示機能としては、高齢者や児童の現在地の通知サービス、つまり特定人物の現在の位置情報を取得するサービス等が提供されるようになってきている（例えば、特許文献１参照）。
【特許文献１】特開２００３−１５３３２０号公報
【発明の開示】
【発明が解決しようとする課題】
【０００４】
従来の位置情報の通知方法では、例えばＧＰＳによる位置情報で特定のユーザがどこにいるのかがわかるというサービスであり、必ずしも地図情報として場所の情報がほしいわけではなく、また複数のユーザの情報が一度にわかりやすく表示するというサービスは提供されていない。
【０００５】
つまり、従来の位置情報取得サービスでは、特定人物の位置情報を取得するというサービスが提供されているが、必ずしも地図データとしての情報を必要とする場面ばかりではない。逆に、地図データではなく、他のビジュアルで情報を表示されるほうがよい場合もある。例えば、ゴルフ場等で位置の特定をするためには、地図上に特定人物や複数のユーザの位置が現れるよりも、図５に示すように、どのホール（１〜９のホール）にどのグループ（グループＡ〜グループＫ）がいるといった情報のほうが望ましく、図４に示すように、遊園地等においては地図情報でどこに誰がいるのかがわかるよりも、遊園地のマップ上のどこにいるのか、誰がいるのかといったことがわかるほうが望ましい。
【０００６】
そこで、本発明の目的は上記の問題点を解消し、グループメンバの誰がどこにいるのかを一目でわかるようにすることができる位置情報表示サービスシステム、サーバ装置及びそれらに用いる位置情報表示サービス方法並びにそのプログラムを提供することにある。
【課題を解決するための手段】
【０００７】
本発明による位置情報表示サービスシステムは、各々自端末の位置情報を取得する機能を含む複数の携帯端末と、前記複数の携帯端末各々から前記位置情報を取得するサーバ装置とを少なくとも含む位置情報表示サービスシステムであって、
前記サーバ装置は、予め登録された複数の携帯端末で構成されるグループメンバの端末から取得した位置情報を基に当該グループメンバに共有される共有マップを作成する手段と、その作成した共有マップ上に前記位置情報に基づいて前記グループメンバ各々の位置を表示させる手段とを備えている。
【０００８】
本発明によるサーバ装置は、各々自端末の位置情報を取得する機能を含む複数の携帯端末各々から前記位置情報を取得するサーバ装置であって、
予め登録された複数の携帯端末で構成されるグループメンバの端末から取得した位置情報を基に当該グループメンバに共有される共有マップを作成する手段と、その作成した共有マップ上に前記位置情報に基づいて前記グループメンバ各々の位置を表示させる手段とを備えている。
【０００９】
本発明による位置情報表示サービス方法は、各々自端末の位置情報を取得する機能を含む複数の携帯端末と、前記複数の携帯端末各々から前記位置情報を取得するサーバ装置とを少なくとも含むシステムに用いられる位置情報表示サービス方法であって、
前記サーバ装置が、予め登録された複数の携帯端末で構成されるグループメンバの端末から取得した位置情報を基に当該グループメンバに共有される共有マップを作成する処理と、その作成した共有マップ上に前記位置情報に基づいて前記グループメンバ各々の位置を表示させる処理とを実行している。
【００１０】
本発明によるプログラムは、各々自端末の位置情報を取得する機能を含む複数の携帯端末各々から前記位置情報を取得するサーバ装置が実行するプログラムであって、
前記サーバ装置の中央処理装置に、予め登録された複数の携帯端末で構成されるグループメンバの端末から取得した位置情報を基に当該グループメンバに共有される共有マップを作成する処理と、その作成した共有マップ上に前記位置情報に基づいて前記グループメンバ各々の位置を表示させる処理とを実行させている。
【００１１】
すなわち、本発明の位置情報表示サービスシステムは、携帯電話機等の携帯端末に備えるＧＰＳ（Ｇｌｏｂａｌ  Ｐｏｓｉｔｉｏｎｉｎｇ  Ｓｙｓｔｅｍ）機能を用いて位置情報を取得し、その位置情報を基に特定のエリアのグループメンバに共有される共有マップ上にグループメンバ各々の位置を表示させることで、グループメンバ各々の位置を確認することが可能となる。これによって、本発明の位置情報表示サービスシステムでは、地図情報ではなく、目的に応じた位置情報をグループ間で共有することが可能となる。
【００１２】
本発明の位置情報表示サービスシステムでは、各ユーザがグループで決めた共有マップにアクセスすることで、グループのメンバがどこにいるのかという位置情報を取得することを可能としている。
【００１３】
各ユーザはグループのメンバに自分の場所を知らせるために、ＧＰＳ機能によって得た位置情報を定期的にサーバ装置にアップロードしている。各ユーザが定期的に位置情報をサーバ装置にアップロードすることで、グループのメンバ各々の位置を把握することが可能となり、各ユーザの位置情報は使用しているマップにあわせることで、絵的に見やすい地図を画面に反映させることが可能となる。
【００１４】
上記のように、本発明の位置情報表示サービスシステムでは、限定された範囲内におけるマップの表示をわかりやすく、またグループ間で共有することが可能となり、目的にあった位置情報を提供することが可能になる。この場合、本発明の位置情報表示サービスシステムでは、特定の範囲内でその範囲にあったマップを用意しておくことで、誰がどこにいるのかを一目でわかるようにすることが可能となる。
【発明の効果】
【００１５】
本発明は、上記のような構成及び動作とすることで、グループメンバの誰がどこにいるのかを一目でわかるようにすることができるという効果が得られる。
【発明を実施するための最良の形態】
【００１６】
次に、本発明の実施例について図面を参照して説明する。図１は本発明の一実施例による位置情報表示サービスを提供する移動通信システムの構成を示すブロック図である。図１において、本発明の一実施例による移動通信システムは、位置情報表示サービスを提供するサーバ装置１と、無線基地局２と、携帯電話機やＰＤＡ（Ｐｅｒｓｏｎａｌ  Ｄｉｇｉｔａｌ  Ａｓｓｉｓｔａｎｔ）等の携帯端末（ａ〜ｅ）３−１〜３−５とから構成されている。
【００１７】
携帯端末（ａ〜ｅ）３−１〜３−５各々は図示せぬＧＰＳ（Ｇｌｏｂａｌ  Ｐｏｓｉｔｉｏｎｉｎｇ  Ｓｙｓｔｅｍ）機能を用いて位置情報を取得し、その位置情報を無線基地局２を通してサーバ装置１に送信する。尚、携帯端末（ａ〜ｅ）３−１〜３−５各々が位置情報を取得する方法としては、ＧＰＳ機能以外の方法（例えば、無線基地局２からの位置情報に基づく方法）でもよい。
【００１８】
サーバ装置１には予め携帯端末（ａ〜ｅ）３−１〜３−５各々のユーザの情報［例えば、ユーザＩＤ（ＩＤｅｎｔｉｆｉｅｒ：識別情報）、パスワード、所属するグループ情報、使用するマップ情報等］が登録されており、携帯端末（ａ〜ｅ）３−１〜３−５各々から取得した位置情報を基に特定のエリアのグループメンバに共有される共有マップを作成して提供する。
【００１９】
また、サーバ装置１はその共有マップ上にグループメンバ各々の位置を表示させており、携帯端末（ａ〜ｅ）３−１〜３−５各々から位置情報が送られてくる毎に、共有マップ場に表示するグループメンバ各々の位置を更新する。尚、共有マップとしては、地図情報でも、また地図情報以外の概略図でもよい。
【００２０】
図２は図１のサーバ装置１の構成例を示すブロック図である。図２において、サーバ装置１はＣＰＵ（中央処理装置）１１と、ＣＰＵ１１が実行する制御プログラム１２ａを格納するメインメモリ１２と、ＣＰＵ１１が制御プログラム１２ａを実行する際に作業領域等として使用する記憶部１３と、上記の共有マップの基となる地図情報や概略図等を蓄積する地図情報記憶部１４と、無線基地局２を介して実行される携帯端末（ａ〜ｅ）３−１〜３−５各々との通信を制御する通信制御部１５とから構成されている。
【００２１】
記憶部１３は携帯端末（ａ〜ｅ）３−１〜３−５各々のユーザ情報を記憶するユーザ情報記憶領域１３１と、携帯端末（ａ〜ｅ）３−１〜３−５各々から取得した位置情報と地図情報記憶部１４の情報とを基に作成して共有マップを記憶する共有マップ記憶領域１３２とを備えている。また、ＣＰＵ１１、メインメモリ１２、記憶部１３、地図情報記憶部１４、通信制御部１５はそれぞれ内部バス１１０に接続されている。
【００２２】
図３は図２のユーザ情報記憶領域１３１の構成例を示す図である。図３において、ユーザ情報記憶領域１３１には、ユーザＩＤ（「０００００１」，「０００００２」，「０００００３」，・・・）と、パスワード（「ａａａａａ」，「ｂｂｂｂｂ」，「ｃｃｃｃｃ」，・・・）と、メンバ情報（「グループＡ」，「グループＧ」，「グループＡ」，・・・）と、位置情報（「ｘｘｘ．ｘｘ」，「ｙｙｙ．ｙｙ」，「ｚｚｚ．ｚｚ」，・・・）とが記憶されている。尚、位置情報としては、緯度経度を用いてもよく、メンバ情報としてはグループ名ではなく、共有マップ名を記憶してもよい。
【００２３】
図４は本発明の一実施例による遊園地での位置情報の表示例を示す図である。この図４を参照して、本発明の一実施例による遊園地のマップを使用する場合の表示例について説明する。
【００２４】
図４においては、携帯端末（ａ，ｂ，ｅ）３−１，３−２，３−５のユーザがアトラクションＡにいるということがわかり、携帯端末（ｃ，ｄ）３−３，３−４のユーザがエントランス付近にいるということが一目見てわかる。これは携帯端末（ａ〜ｅ）３−１〜３−５のユーザを一つのグループとする時に、各携帯端末（ａ〜ｅ）３−１〜３−５のユーザの位置情報がわかることを示している。
【００２５】
この共有マップはサーバ装置１上で管理され、その共有マップを同時に使用するグループのユーザとそれぞれの位置情報とともに管理される。共有マップの配布は遊園地内で入手できるようにしても、サイトからダウンロードするようにしてもよい。共有マップの入手とともに、グループ共通のＩＤ及びパスワードを設定することで、共有マップを共有可能なユーザを決めることができる。また、そうすることで、設定を知らないグループ外のユーザからは情報がわからないようにしている。
【００２６】
図５及び図６は本発明の一実施例によるゴルフ場での位置情報の表示例を示す図である。この図５及び図６を参照して、本発明の一実施例によるゴルフ場のマップを使用する場合の表示例について説明する。
【００２７】
図５では、ゴルフ場においてどのグループ（グループＡ〜グループＫ）が全体としてどのホール（１〜９）のどのあたりにいるのかということがわかる。これは登録しているグループ内のユーザの平均的な位置を算出してグループとしての位置としてもよいし、グループの代表の位置をグループの位置としてもよい。
【００２８】
図５ではグループしての位置をどのホールのどのあたりにいるかということを一目でわかるようにしているが、当然、図６に示すように、ゴルフ場の各ホールの詳細なマップでユーザ自身がどこにいるのかを確認することもできる。
【００２９】
図７及び図８は図２に示すサーバ装置１の動作を示すフローチャートである。これら図１〜図８を参照してサーバ装置１の動作の動作について説明する。尚、図７及び図８に示す処理動作はサーバ装置１のＣＰＵ１１が制御プログラム１２ａを実行することで実現される。以下、携帯端末（ａ〜ｅ）３−１〜３−５のユーザが図４に示す遊園地での位置情報の表示例の動作について説明する。
【００３０】
まず、携帯端末（ａ〜ｅ）３−１〜３−５のユーザが遊園地内でサーバ装置１に対してユーザＩＤとパスワードとを入力すると（図７ステップＳ１）、ユーザ装置１は登録されているグループメンバのユーザであることが確認できなければ（図７ステップＳ２）、再度、ステップＳ１に戻ってユーザＩＤとパスワードとの入力を待つ。
【００３１】
サーバ装置１はグループメンバのユーザであることが確認されると（図７ステップＳ２）、共有マップへのアクセスを許可し（図７ステップＳ３）、携帯端末（ａ〜ｅ）３−１〜３−５のユーザに共有マップの選択を行わせる。今回の例では、携帯端末（ａ〜ｅ）３−１〜３−５のユーザが遊園地の共有マップを選択することになる。サーバ装置１はこの処理を図４に示す携帯端末（ａ〜ｅ）３−１〜３−５のユーザそれぞれに対して行わせる。
【００３２】
これによって、サーバ装置１は携帯端末（ａ〜ｅ）３−１〜３−５のユーザのグループだけの遊園地マップを提供することができる。遊園地内を移動している間、携帯端末（ａ〜ｅ）３−１〜３−５は、図１に示すイメージで、サーバ装置１に位置情報をアップロードする。
【００３３】
サーバ装置１側では、図８に示す通り、位置情報が送信されてくると（図８ステップＳ１１）、位置情報を送信してきた携帯端末（ａ〜ｅ）３−１〜３−５がグループメンバとしてユーザ登録されているかを確認する（図８ステップＳ１２）。ここで、サーバ装置１は、ユーザ登録されていない端末から位置情報が送られてきている場合、その端末に対してエラーであることを通知する（図８ステップＳ１４）。
【００３４】
また、サーバ装置１は、位置情報を送信してきた携帯端末（ａ〜ｅ）３−１〜３−５がグループメンバとしてユーザ登録されていれば、位置情報を共有マップに更新する（図８ステップＳ１３）。
【００３５】
携帯端末（ａ〜ｅ）３−１〜３−５のユーザが遊園地を出る場合には、それ以上の位置情報の更新が不要となるので、ユーザ登録を解除する必要がある。また、ユーザ登録が解除されないまま、マップ範囲外へ出た場合にはサーバ装置１側から携帯端末（ａ〜ｅ）３−１〜３−５にエリア範囲外へ出ていることを通達する。
【００３６】
このように、本実施例では、限定された範囲内における共有マップの表示をわかりやすく、またグループメンバ間で共有することができ、グループメンバの目的にあった位置情報を提供することができる。
【００３７】
図９は本発明の他の実施例による路線図での位置情報の表示例を示す図である。本発明の他の実施例では、上記の本発明の一実施例に用いる地図ではなく、路線図をマップとして使用している。
【００３８】
図９において、携帯端末（ｃ）３−３のユーザはＦ駅をすでに出発しており、Ｇ駅との間にいることがわかり、携帯端末（ｂ）３−２のユーザはＦ駅に停車中、携帯端末（ａ，ｄ）３−１，３−４のユーザは同じ車中にて移動中ということがわかる。
【００３９】
このように、本実施例では、限られた範囲が電車というものになれば、路線図という表示方法でグループメンバの位置を確認することができる。この場合、各携帯端末（ａ〜ｄ）３−１〜３−４のユーザは電車に乗る前にユーザ登録を行い、共有マップとして路線図を選ぶことで、定期的に位置情報をサーバ装置１にアップロードすることで、サーバ装置１は路線図内に携帯端末（ａ〜ｄ）３−１〜３−４のユーザがいる限りその位置を路線図上に表す。
【図面の簡単な説明】
【００４０】
【図１】本発明の一実施例による位置情報表示サービスを提供する移動通信システムの構成を示すブロック図である。
【図２】図１のサーバ装置の構成例を示すブロック図である。
【図３】図２のユーザ情報記憶領域の構成例を示す図である。
【図４】本発明の一実施例による遊園地での位置情報の表示例を示す図である。
【図５】本発明の一実施例によるゴルフ場での位置情報の表示例を示す図である。
【図６】本発明の一実施例によるゴルフ場での位置情報の表示例を示す図である。
【図７】図２に示すサーバ装置の動作を示すフローチャートである。
【図８】図２に示すサーバ装置の動作を示すフローチャートである。
【図９】本発明の他の実施例による路線図での位置情報の表示例を示す図である。
【符号の説明】
【００４１】
１  サーバ装置
２  無線基地局
３−１〜３−５  携帯端末（ａ〜ｅ）
１１  ＣＰＵ
１２  メインメモリ
１２ａ  制御プログラム
１３  記憶部
１４  地図情報記憶部
１５  通信制御部
１１０  内部バス
１３１  ユーザ情報記憶領域
１３４  共有マップ記憶領域
【図１】
2008015717.tif 000003
【図２】
2008015717.tif 000004
【図３】
2008015717.tif 000005
【図４】
2008015717.tif 000006
【図５】
2008015717.tif 000007
【図６】
2008015717.tif 000008
【図７】
2008015717.tif 000009
【図８】
2008015717.tif 000010
【図９】
2008015717.tif 000011